(57)【要約】【課題】最適な設定でコンテンツを再生することができるコンテンツ再生システム及びコンテンツ再生方法を提供する。【解決手段】コンテンツを配信するサーバ装置と、当該サーバ装置により配信されたコンテンツを再生する再生部を有する再生装置と、当該サーバ装置と当該再生装置とを制御する制御装置４と、を備えるコンテンツ再生システムにおいて、制御装置４に、ユーザにより選択されたコンテンツの再生に係る所定の調整パラメータの設定に関する設定情報をサーバ装置から取得する設定情報取得プログラム４５３ｃを実行したＣＰＵ４５１と、当該取得された設定情報を、再生装置に対して送信する通信制御部４４と、を備えるよう構成した。【選択図】図３
2008141501.tif 000002
【特許請求の範囲】
【請求項１】
映像データを含むコンテンツを配信するサーバ装置と、当該サーバ装置により配信されたコンテンツを再生する再生手段を有する再生装置と、当該サーバ装置と当該再生装置とを制御する制御装置と、を備えるコンテンツ再生システムにおいて、
前記サーバ装置は、
当該サーバ装置により配信可能なコンテンツ毎に、当該コンテンツの再生に係る所定の調整パラメータの設定に関する設定情報を記憶する記憶手段と、
コンテンツの保存位置に関する保存位置情報と、前記記憶手段内における設定情報の記憶位置に関する記憶位置情報と、を前記制御装置に対して送信する位置情報送信手段と、を備え、
前記制御装置は、
前記サーバ装置により配信可能なコンテンツの中から一のコンテンツを選択する選択手段と、
前記位置情報送信手段により送信された記憶位置情報に基づいて、前記選択手段により選択されたコンテンツの設定情報を前記サーバ装置から取得する設定情報取得手段と、
前記選択手段により選択されたコンテンツを当該コンテンツの設定情報に基づいて再生するよう指示する指示手段と、
前記指示手段によって前記選択手段により選択されたコンテンツを当該コンテンツの設定情報に基づいて再生するよう指示された際に、前記設定情報取得手段により取得された設定情報を、前記再生装置に対して送信する設定情報送信手段と、
前記位置情報送信手段により送信された保存位置情報のうちの前記選択手段により選択されたコンテンツの保存位置情報を、前記再生装置に対して送信する保存位置情報送信手段と、を備え、
前記再生装置は、
前記選択手段により選択されたコンテンツを配信するよう要求する配信要求を、前記保存位置情報送信手段により送信された保存位置情報とともに、前記サーバ装置に対して送信する配信要求送信手段を備え、
前記サーバ装置は、
前記配信要求送信手段により送信された配信要求に従って、当該配信要求とともに送信された保存位置情報に基づいてコンテンツを取得して前記再生装置に配信するコンテンツ配信手段を備え、
前記再生手段は、前記設定情報送信手段により設定情報が送信された場合は、当該設定情報に基づいて、前記コンテンツ配信手段により配信されたコンテンツを再生し、
前記所定の調整パラメータには、輝度、赤み、明るさ、シャープネスのうち少なくとも１つが含まれることを特徴とするコンテンツ再生システム。
【請求項２】
コンテンツを配信するサーバ装置により配信されたコンテンツを再生する再生手段を有する再生装置におけるコンテンツ再生方法において、
前記サーバ装置は、
当該サーバ装置により配信可能なコンテンツ毎に、当該コンテンツの再生に係る所定の調整パラメータの設定に関する設定情報を記憶する記憶手段を備え、
前記再生手段は、
前記サーバ装置により配信されたコンテンツにおける前記記憶手段に記憶された設定情報に基づいて、当該コンテンツを再生することを特徴とするコンテンツ再生方法。
【請求項３】
コンテンツを配信するサーバ装置と、当該サーバ装置により配信されたコンテンツを再生する再生手段を有する再生装置と、当該サーバ装置と当該再生装置とを制御する制御装置と、を備えるコンテンツ再生システムにおいて、
前記サーバ装置は、
当該サーバ装置により配信可能なコンテンツ毎に、当該コンテンツの再生に係る所定の調整パラメータの設定に関する設定情報を記憶する記憶手段と、
コンテンツの保存位置に関する保存位置情報と、前記記憶手段内における設定情報の記憶位置に関する記憶位置情報と、を前記制御装置に対して送信する位置情報送信手段と、を備え、
前記制御装置は、
前記サーバ装置により配信可能なコンテンツの中から一のコンテンツを選択する選択手段と、
前記位置情報送信手段により送信された記憶位置情報に基づいて、前記選択手段により選択されたコンテンツの設定情報を前記サーバ装置から取得する設定情報取得手段と、
前記設定情報取得手段により取得された設定情報を、前記再生装置に対して送信する設定情報送信手段と、
前記位置情報送信手段により送信された保存位置情報のうちの前記選択手段により選択されたコンテンツの保存位置情報を、前記再生装置に対して送信する保存位置情報送信手段と、を備え、
前記再生装置は、
前記選択手段により選択されたコンテンツを配信するよう要求する配信要求を、前記保存位置情報送信手段により送信された保存位置情報とともに、前記サーバ装置に対して送信する配信要求送信手段を備え、
前記サーバ装置は、
前記配信要求送信手段により送信された配信要求に従って、当該配信要求とともに送信された保存位置情報に基づいてコンテンツを取得して前記再生装置に配信するコンテンツ配信手段を備え、
前記再生手段は、前記設定情報送信手段により送信された設定情報に基づいて、前記コンテンツ配信手段により配信されたコンテンツを再生することを特徴とするコンテンツ再生システム。
【請求項４】
請求項３に記載のコンテンツ再生システムにおいて、
前記制御装置は、
前記選択手段により選択されたコンテンツを当該コンテンツの設定情報に基づいて再生するよう指示する指示手段を備え、
前記設定情報送信手段は、前記指示手段によって前記選択手段により選択されたコンテンツを当該コンテンツの設定情報に基づいて再生するよう指示された際に、前記設定情報取得手段により取得された設定情報を、前記再生装置に対して送信し、
前記再生手段は、前記設定情報送信手段により設定情報が送信された場合に、当該設定情報に基づいて、前記コンテンツ配信手段により配信されたコンテンツを再生することを特徴とするコンテンツ再生システム。
【請求項５】
請求項３又は４に記載のコンテンツ再生システムにおいて、
前記コンテンツは、映像データを含み、
前記所定の調整パラメータには、輝度、赤み、明るさ、シャープネスのうち少なくとも１つが含まれることを特徴とするコンテンツ再生システム。
【発明の詳細な説明】
【技術分野】
【０００１】
本発明は、コンテンツ再生システム及びコンテンツ再生方法に関する。
【背景技術】
【０００２】
従来、コンテンツを配信するサーバ装置と、当該配信されたコンテンツを再生する再生装置と、などを備えるシステムが提案されている。
【０００３】
具体的には、例えば、コンテンツを再生するクライアント端末と、コンテンツをクライアント端末に送信するサーバ装置と、を有してなるコンテンツ再生システムにおいて、複数のコンテンツのうちコンテンツの表示の優先度を示す表示重みが最大値であるコンテンツの映像を主画面に配置して、その他のコンテンツの映像を副画面に配置した画面をクライアント端末にて表示できるコンテンツ再生システムが提案されている（例えば、特許文献１参照）。
また、例えば、ビデオオンデマンドコンテンツサービスを提供するビデオオンデマンドサーバと、当該ビデオオンデマンドサーバとホーム内に存在する少なくとも１つのデバイスとに接続されたホームサーバと、を含むホームネットワークシステムにおいて、ホームサーバにて、ユーザの位置を追跡してユーザが近接するデバイスを特定し、ビデオオンデマンドサーバにて、コンテンツを当該特定されたデバイスに合わせて変換して、ホームサーバを介して当該特定されたデバイスに伝送できるホームネットワークシステムが提案されている（例えば、特許文献２参照）。
また、例えば、コンテンツを記憶するホームサーバにおいて、再生要請されたコンテンツのＡ／Ｖファイルフォーマットと、接続された周辺機器でデコード可能なＡ／Ｖファイルフォーマットと、が一致しない場合に、当該再生要請されたコンテンツのＡ／Ｖファイルフォーマットを、当該接続された周辺機器で再生可能なＡ／Ｖファイルフォーマットに変換できるホームサーバが提案されている（例えば、特許文献３参照）。
また、例えば、接続された他のホームサーバとコンテンツを共有可能なホームサーバにおいて、所望のコンテンツが複数の他のホームサーバに蓄積されている場合に、当該複数の他のホームサーバそれぞれの配信画像レートに基づいて、当該所望のコンテンツを提供してもらう他のホームサーバを選択できるホームサーバが提案された（例えば、特許文献４参照）。
【０００４】
ところで、再生装置にコンテンツを再生させる際、ユーザは、所定のパラメータ（例えば、コンテンツに映像データが含まれる場合は、輝度、赤み、明るさ、シャープネス等）を設定しなければならない場合がある。
【特許文献１】特開２００６−２４６３５８号公報
【特許文献２】特開２００６−２３６３２４号公報
【特許文献３】特開２００６−２２１６４６号公報
【特許文献４】特開２００５−３２８４４３号公報
【発明の開示】
【発明が解決しようとする課題】
【０００５】
しかしながら、コンテンツ毎に最適な設定が異なる場合があり、コンテンツ毎に個別に設定することは、ユーザにとって煩わしいという問題がある。そして、特許文献１〜４に開示された技術でも、この問題を解決することはできない。
【０００６】
本発明の課題は、最適な設定でコンテンツを再生することができるコンテンツ再生システム及びコンテンツ再生方法を提供することにある。
【課題を解決するための手段】
【０００７】
上記課題を解決するために、請求項１に記載の発明は、
映像データを含むコンテンツを配信するサーバ装置と、当該サーバ装置により配信されたコンテンツを再生する再生手段を有する再生装置と、当該サーバ装置と当該再生装置とを制御する制御装置と、を備えるコンテンツ再生システムにおいて、
前記サーバ装置は、
当該サーバ装置により配信可能なコンテンツ毎に、当該コンテンツの再生に係る所定の調整パラメータの設定に関する設定情報を記憶する記憶手段と、
コンテンツの保存位置に関する保存位置情報と、前記記憶手段内における設定情報の記憶位置に関する記憶位置情報と、を前記制御装置に対して送信する位置情報送信手段と、を備え、
前記制御装置は、
前記サーバ装置により配信可能なコンテンツの中から一のコンテンツを選択する選択手段と、
前記位置情報送信手段により送信された記憶位置情報に基づいて、前記選択手段により選択されたコンテンツの設定情報を前記サーバ装置から取得する設定情報取得手段と、
前記選択手段により選択されたコンテンツを当該コンテンツの設定情報に基づいて再生するよう指示する指示手段と、
前記指示手段によって前記選択手段により選択されたコンテンツを当該コンテンツの設定情報に基づいて再生するよう指示された際に、前記設定情報取得手段により取得された設定情報を、前記再生装置に対して送信する設定情報送信手段と、
前記位置情報送信手段により送信された保存位置情報のうちの前記選択手段により選択されたコンテンツの保存位置情報を、前記再生装置に対して送信する保存位置情報送信手段と、を備え、
前記再生装置は、
前記選択手段により選択されたコンテンツを配信するよう要求する配信要求を、前記保存位置情報送信手段により送信された保存位置情報とともに、前記サーバ装置に対して送信する配信要求送信手段を備え、
前記サーバ装置は、
前記配信要求送信手段により送信された配信要求に従って、当該配信要求とともに送信された保存位置情報に基づいてコンテンツを取得して前記再生装置に配信するコンテンツ配信手段を備え、
前記再生手段は、前記設定情報送信手段により設定情報が送信された場合は、当該設定情報に基づいて、前記コンテンツ配信手段により配信されたコンテンツを再生し、
前記所定の調整パラメータには、輝度、赤み、明るさ、シャープネスのうち少なくとも１つが含まれることを特徴とする。
【０００８】
請求項２に記載の発明は、
コンテンツを配信するサーバ装置により配信されたコンテンツを再生する再生手段を有する再生装置におけるコンテンツ再生方法において、
前記サーバ装置は、
当該サーバ装置により配信可能なコンテンツ毎に、当該コンテンツの再生に係る所定の調整パラメータの設定に関する設定情報を記憶する記憶手段を備え、
前記再生手段は、
前記サーバ装置により配信されたコンテンツにおける前記記憶手段に記憶された設定情報に基づいて、当該コンテンツを再生することを特徴とする。
【０００９】
請求項３に記載の発明は、
コンテンツを配信するサーバ装置と、当該サーバ装置により配信されたコンテンツを再生する再生手段を有する再生装置と、当該サーバ装置と当該再生装置とを制御する制御装置と、を備えるコンテンツ再生システムにおいて、
前記サーバ装置は、
当該サーバ装置により配信可能なコンテンツ毎に、当該コンテンツの再生に係る所定の調整パラメータの設定に関する設定情報を記憶する記憶手段と、
コンテンツの保存位置に関する保存位置情報と、前記記憶手段内における設定情報の記憶位置に関する記憶位置情報と、を前記制御装置に対して送信する位置情報送信手段と、を備え、
前記制御装置は、
前記サーバ装置により配信可能なコンテンツの中から一のコンテンツを選択する選択手段と、
前記位置情報送信手段により送信された記憶位置情報に基づいて、前記選択手段により選択されたコンテンツの設定情報を前記サーバ装置から取得する設定情報取得手段と、
前記設定情報取得手段により取得された設定情報を、前記再生装置に対して送信する設定情報送信手段と、
前記位置情報送信手段により送信された保存位置情報のうちの前記選択手段により選択されたコンテンツの保存位置情報を、前記再生装置に対して送信する保存位置情報送信手段と、を備え、
前記再生装置は、
前記選択手段により選択されたコンテンツを配信するよう要求する配信要求を、前記保存位置情報送信手段により送信された保存位置情報とともに、前記サーバ装置に対して送信する配信要求送信手段を備え、
前記サーバ装置は、
前記配信要求送信手段により送信された配信要求に従って、当該配信要求とともに送信された保存位置情報に基づいてコンテンツを取得して前記再生装置に配信するコンテンツ配信手段を備え、
前記再生手段は、前記設定情報送信手段により送信された設定情報に基づいて、前記コンテンツ配信手段により配信されたコンテンツを再生することを特徴とする。
【００１０】
請求項４に記載の発明は、
請求項３に記載のコンテンツ再生システムにおいて、
前記制御装置は、
前記選択手段により選択されたコンテンツを当該コンテンツの設定情報に基づいて再生するよう指示する指示手段を備え、
前記設定情報送信手段は、前記指示手段によって前記選択手段により選択されたコンテンツを当該コンテンツの設定情報に基づいて再生するよう指示された際に、前記設定情報取得手段により取得された設定情報を、前記再生装置に対して送信し、
前記再生手段は、前記設定情報送信手段により設定情報が送信された場合に、当該設定情報に基づいて、前記コンテンツ配信手段により配信されたコンテンツを再生することを特徴とする。
【００１１】
請求項５に記載の発明は、
請求項３又は４に記載のコンテンツ再生システムにおいて、
前記コンテンツは、映像データを含み、
前記所定の調整パラメータには、輝度、赤み、明るさ、シャープネスのうち少なくとも１つが含まれることを特徴とする。
【発明の効果】
【００１２】
請求項１に記載の発明によれば、映像データを含むコンテンツを配信するサーバ装置と、当該サーバ装置により配信されたコンテンツを再生する再生手段を有する再生装置と、当該サーバ装置と当該再生装置とを制御する制御装置と、を備えるコンテンツ再生システムにおいて、サーバ装置は、記憶手段によって、当該サーバ装置により配信可能なコンテンツ毎に、当該コンテンツの再生に係る所定の調整パラメータの設定に関する設定情報を記憶することができ、位置情報送信手段によって、コンテンツの保存位置に関する保存位置情報と、記憶手段内における設定情報の記憶位置に関する記憶位置情報と、を制御装置に対して送信することができ、制御装置は、選択手段によって、サーバ装置により配信可能なコンテンツの中から一のコンテンツを選択することができ、設定情報取得手段によって、位置情報送信手段により送信された記憶位置情報に基づいて、選択手段により選択されたコンテンツの設定情報をサーバ装置から取得することができ、設定情報送信手段によって、設定情報取得手段により取得された設定情報を、再生装置に対して送信することができ、保存位置情報送信手段によって、位置情報送信手段により送信された保存位置情報のうちの選択手段により選択されたコンテンツの保存位置情報を、再生装置に対して送信することができ、再生装置は、配信要求送信手段によって、選択手段により選択されたコンテンツを配信するよう要求する配信要求を、保存位置情報送信手段により送信された保存位置情報とともに、サーバ装置に対して送信することができ、サーバ装置は、コンテンツ配信手段によって、配信要求送信手段により送信された配信要求に従って、当該配信要求とともに送信された保存位置情報に基づいてコンテンツを取得して再生装置に配信することができ、そして、再生手段は、設定情報送信手段により送信された設定情報に基づいて、コンテンツ配信手段により配信されたコンテンツを再生することができる。
すなわち、サーバ装置の記憶手段に、例えば、コンテンツを提供するコンテンツ提供者が最適であると提案する所定の調整パラメータの設定に関する設定情報が記憶されている場合には、当該最適な設定でコンテンツを再生することができる。
したがって、ユーザは、煩わしい設定操作をすることなく、最適な設定でコンテンツを楽しむことができる。
【００１３】
また、制御装置は、選択手段により選択されたコンテンツを当該コンテンツの設定情報に基づいて再生するよう指示する指示手段を備え、設定情報送信手段は、指示手段によって選択手段により選択されたコンテンツを当該コンテンツの設定情報に基づいて再生するよう指示された際に、設定情報取得手段により取得された設定情報を再生装置に対して送信し、再生手段は、設定情報送信手段により設定情報が送信された場合に、当該設定情報に基づいて、コンテンツ配信手段により配信されたコンテンツを再生するようになっている。
したがって、ユーザが所望した場合のみ、サーバ装置の記憶手段に記憶された設定情報に基づいてコンテンツを再生することができるため、ユーザビリティが高い。
【００１４】
また、コンテンツは、映像データを含み、所定の調整パラメータには、輝度、赤み、明るさ、シャープネスのうち少なくとも１つが含まれる。
したがって、サーバ装置の記憶手段には、設定が特に煩わしい映像データの再生に係る所定の調整パラメータの設定に関する設定情報が記憶されているため、ユーザにとって好都合である。
【００１５】
請求項２に記載の発明によれば、コンテンツを配信するサーバ装置により配信されたコンテンツを再生する再生手段を有する再生装置におけるコンテンツ再生方法において、サーバ装置は、サーバ装置により配信可能なコンテンツ毎に、当該コンテンツの再生に係る所定の調整パラメータの設定に関する設定情報を記憶する記憶手段を備え、再生手段は、サーバ装置により配信されたコンテンツにおける記憶手段に記憶された設定情報に基づいて、当該コンテンツを再生することができる。
すなわち、サーバ装置の記憶手段に、例えば、コンテンツを提供するコンテンツ提供者が最適であると提案する所定の調整パラメータの設定に関する設定情報が記憶されている場合には、当該最適な設定でコンテンツを再生することができる。
したがって、ユーザは、煩わしい設定操作をすることなく、最適な設定でコンテンツを楽しむことができる。
【００１６】
請求項３に記載の発明によれば、コンテンツを配信するサーバ装置と、当該サーバ装置により配信されたコンテンツを再生する再生手段を有する再生装置と、当該サーバ装置と当該再生装置とを制御する制御装置と、を備えるコンテンツ再生システムにおいて、サーバ装置は、記憶手段によって、当該サーバ装置により配信可能なコンテンツ毎に、当該コンテンツの再生に係る所定の調整パラメータの設定に関する設定情報を記憶することができ、位置情報送信手段によって、コンテンツの保存位置に関する保存位置情報と、記憶手段内における設定情報の記憶位置に関する記憶位置情報と、を制御装置に対して送信することができ、制御装置は、選択手段によって、サーバ装置により配信可能なコンテンツの中から一のコンテンツを選択することができ、設定情報取得手段によって、位置情報送信手段により送信された記憶位置情報に基づいて、選択手段により選択されたコンテンツの設定情報をサーバ装置から取得することができ、設定情報送信手段によって、設定情報取得手段により取得された設定情報を、再生装置に対して送信することができ、保存位置情報送信手段によって、位置情報送信手段により送信された保存位置情報のうちの選択手段により選択されたコンテンツの保存位置情報を、再生装置に対して送信することができ、再生装置は、配信要求送信手段によって、選択手段により選択されたコンテンツを配信するよう要求する配信要求を、保存位置情報送信手段により送信された保存位置情報とともに、サーバ装置に対して送信することができ、サーバ装置は、コンテンツ配信手段によって、配信要求送信手段により送信された配信要求に従って、当該配信要求とともに送信された保存位置情報に基づいてコンテンツを取得して再生装置に配信することができ、そして、再生手段は、設定情報送信手段により送信された設定情報に基づいて、コンテンツ配信手段により配信されたコンテンツを再生することができる。
すなわち、サーバ装置の記憶手段に、例えば、コンテンツを提供するコンテンツ提供者が最適であると提案する所定の調整パラメータの設定に関する設定情報が記憶されている場合には、当該最適な設定でコンテンツを再生することができる。
したがって、ユーザは、煩わしい設定操作をすることなく、最適な設定でコンテンツを楽しむことができる。
【００１７】
請求項４に記載の発明によれば、請求項３に記載の発明と同様の効果が得られることは無論のこと、制御装置は、選択手段により選択されたコンテンツを当該コンテンツの設定情報に基づいて再生するよう指示する指示手段を備え、設定情報送信手段は、指示手段によって選択手段により選択されたコンテンツを当該コンテンツの設定情報に基づいて再生するよう指示された際に、設定情報取得手段により取得された設定情報を再生装置に対して送信し、再生手段は、設定情報送信手段により設定情報が送信された場合に、当該設定情報に基づいて、コンテンツ配信手段により配信されたコンテンツを再生するようになっている。
したがって、ユーザが所望した場合のみ、サーバ装置の記憶手段に記憶された設定情報に基づいてコンテンツを再生することができるため、ユーザビリティが高い。
【００１８】
請求項５に記載の発明によれば、請求項３又は４に記載の発明と同様の効果が得られることは無論のこと、コンテンツは、映像データを含み、所定の調整パラメータには、輝度、赤み、明るさ、シャープネスのうち少なくとも１つが含まれる。
したがって、サーバ装置の記憶手段には、設定が特に煩わしい映像データの再生に係る所定の調整パラメータの設定に関する設定情報が記憶されているため、ユーザにとって好都合である。
【発明を実施するための最良の形態】
【００１９】
以下、図を参照して、本発明に係るコンテンツ再生システム及び当該コンテンツ再生システムによるコンテンツ再生方法の最良の形態を詳細に説明する。なお、発明の範囲は図示例に限定されない。
【００２０】
＜コンテンツ再生システムの構成＞
コンテンツ再生システム１は、例えば、図１に示すように、コンテンツを配信するサーバ装置２と、サーバ装置２により配信されたコンテンツを再生する再生部６２を有する再生装置６と、サーバ装置２と再生装置６とを制御する制御装置４と、などを備えて構成される。
【００２１】
コンテンツ再生システム１は、例えば、いわゆるホームネットワークシステムであり、例えば、サーバ装置２と、制御装置４と、再生装置６とは、互いにＬＡＮ（Local Area Network）等のネットワークＮによって接続されている。
【００２２】
サーバ装置２、制御装置４及び再生装置６は、例えば、ＵＰｎＰ ＡＶ（Universal Plug and Play Audio/Video）等を実装した、ＤＬＮＡ（Digital Living Network Alliance）ガイドライン等に対応した装置である。
【００２３】
（サーバ装置）
サーバ装置２は、例えば、ＨＤＤ（Hard Disk Drive）／ＤＶＤ（Digital Versatile Disk）レコーダ等のいわゆるデジタルメディアサーバであり、例えば、図２に示すように、記憶部２１と、通信制御部２２と、制御部２３と、などを備えて構成される。各部は、バス２０によって接続されている。
【００２４】
記憶部２１は、例えば、ＨＤＤやＤＶＤなどから構成され、例えば、コンテンツを保存するとともに、例えば、記憶手段として、サーバ装置２により配信可能なコンテンツ毎に、すなわち、記憶部２１に記憶されたコンテンツ毎に、当該コンテンツの再生に係る所定の調整パラメータの設定に関する設定情報を記憶する。
【００２５】
具体的には、記憶部２１に記憶されたコンテンツは、例えば、映像データや音声データを含む。
【００２６】
また、所定の調整パラメータは、例えば、いわゆるレンダリングパラメータであり、例えば、輝度、赤み、明るさ、シャープネス等を含む。
【００２７】
また、記憶部２１に記憶された設定情報は、例えば、コンテンツを提供するコンテンツ提供者が最適であると提案する調整パラメータの値を含む。したがって、コンテンツが記憶部２１に記憶された設定情報に基づいて再生されると、ユーザは、当該コンテンツのコンテンツ提供者が意図した輝度、赤み、明るさ、シャープネス等で、当該コンテンツを視聴することができる。
ここで、コンテンツ提供者とは、例えば、映像製作会社、サーバ装置２のメーカ、サーバ装置２自体等である。
【００２８】
なお、記憶部２１に記憶されたコンテンツは、映像データ及び音声データを含んでいる必要はなく、映像データ及び／又は音声データを含んでいればよい。
また、所定の調整パラメータは、輝度、赤み、明るさ、シャープネスの全てを含んでいる必要はなく、これらのうち少なくとも１つを含んでいればよいし、さらに、別の調整パラメータを含んでもよい。
【００２９】
通信制御部２２は、例えば、ネットワークＮを介して、外部機器（例えば、制御装置４や再生装置６）との間で各種情報の送受信を行う。
【００３０】
具体的には、通信制御部２２は、制御部２３から入力される制御信号に従って、例えば、位置情報送信手段として、記憶部２１内におけるコンテンツの保存位置に関する保存位置情報と、記憶部２１内における設定情報の記憶位置に関する記憶位置情報と、を制御装置４に対して送信する。
【００３１】
制御部２３は、例えば、図２に示すように、ＣＰＵ（Central Processing Unit）２３１と、ＲＡＭ（Random Access Memory）２３２と、ＲＯＭ（Read Only Memory）２３３と、などを備えている。
【００３２】
ＣＰＵ２３１は、例えば、ＲＯＭ２３３に記憶されたサーバ装置２用の各種処理プログラムに従って各種の制御動作を行う。
【００３３】
ＲＡＭ２３２は、例えば、ＣＰＵ２３１によって実行される処理プログラムなどを展開するためのプログラム格納領域や、入力データや上記処理プログラムが実行される際に生じる処理結果などを格納するデータ格納領域などを備える。
【００３４】
ＲＯＭ２３３は、例えば、サーバ装置２で実行可能なシステムプログラム、当該システムプログラムで実行可能な各種処理プログラム、これら各種処理プログラムを実行する際に使用されるデータ、ＣＰＵ２３１によって演算処理された処理結果のデータ等を記憶する。なお、プログラムは、コンピュータが読み取り可能なプログラムコードの形でＲＯＭ２３３に記憶されている。
【００３５】
具体的には、ＲＯＭ２３３は、例えば、図２に示すように、コンテンツリスト配布プログラム２３３ａと、位置情報送信制御プログラム２３３ｂと、送信要求応答プログラム２３３ｃと、コンテンツ配信プログラム２３３ｄと、などを記憶している。
【００３６】
コンテンツリスト配布プログラム２３３ａは、例えば、制御装置４の通信制御部４４（後述）により送信された配布要求（後述）に従って、通信制御部２２を介して、記憶部２１内に記憶されたコンテンツに関する情報を一覧にしたコンテンツリストを、制御装置４に対して配布する機能を、ＣＰＵ２３１に実現させる。
ここで、コンテンツに関する情報とは、例えば、コンテンツのタイトル等である。
【００３７】
位置情報送信制御プログラム２３３ｂは、例えば、通信制御部２２に制御信号を入力して、記憶部２１内におけるコンテンツの保存位置に関する保存位置情報と、記憶部２１内における設定情報の記憶位置に関する記憶位置情報と、を制御装置６に対して送信させる機能を、ＣＰＵ２３１に実現させる。
【００３８】
送信要求応答プログラム２３３ｃは、例えば、制御装置４の通信制御部４４（後述）により送信された送信要求（後述）に従って、当該送信要求とともに送信された記憶位置情報に基づいて記憶部２１から設定情報を抽出し、そして、通信制御部４４に制御信号を入力して、当該抽出された設定情報を、制御装置４に対して送信させる機能を、ＣＰＵ２３１に実現させる。
【００３９】
コンテンツ配信プログラム２３３ｄは、例えば、再生装置６の通信制御部６１（後述）により送信された配信要求（後述）に従って、当該配信要求とともに送信された保存位置情報に基づいて記憶部２１からコンテンツを取得し、そして、通信制御部４４を介して、当該取得されたコンテンツを再生装置６に配信する機能を、ＣＰＵ２３１に実現させる。
ＣＰＵ２３１は、かかるコンテンツ配信プログラム２３３ｄを実行することによって、コンテンツ配信手段として機能する。
【００４０】
（制御装置）
制御装置４は、例えば、ＰＤＡ（Personal Digital Assistants）等のいわゆるデジタルメディアコントローラであり、例えば、図３に示すように、記憶部４１と、表示部４２と、操作部４３と、通信制御部４４と、制御部４５と、などを備えて構成される。各部は、バス４０によって接続されている。
【００４１】
記憶部４１は、例えば、サーバ装置２の通信制御部２２により送信されて通信制御部４４により受信された設定情報を記憶する。
具体的には、設定情報は、サーバ装置２の通信制御部２２により送信されて通信制御部４４により受信されると、記憶部４１に記憶されるようになっている。
【００４２】
表示部４２は、例えば、ＬＣＤ（Liquid Crystal Display）パネル等から構成され、例えば、制御部４５から入力される制御信号に従って所与の表示処理を行う。
【００４３】
操作部４３は、例えば、制御装置４の外面に配設された操作キーや、表示部４３と一体的に配設されたタッチパネルなどから構成され、例えば、ユーザにより操作されると、当該操作に伴う各種信号を制御部４５に出力する。
【００４４】
具体的には、操作部４３は、例えば、選択手段として、ユーザが、サーバ装置２により配信可能なコンテンツの中から一のコンテンツを選択する際に操作される。
より具体的には、例えば、ユーザは、操作部４３を操作して、サーバ装置２の通信制御部２２により送信されて表示部４２に表示されたコンテンツリストの中から一のコンテンツを選択することによって、サーバ装置２により配信可能なコンテンツの中から一のコンテンツを選択する。
【００４５】
また、操作部４３は、例えば、指示手段として、ユーザが、ユーザによる操作部４３の操作により選択されたコンテンツを当該コンテンツの設定情報に基づいて再生するよう指示する際に操作される。
より具体的には、例えば、ユーザは、操作部４３に含まれる「最適設定」キー等を押下することによって、ユーザによる操作部４３の操作により選択されたコンテンツを当該コンテンツの設定情報に基づいて再生するよう指示するようになっている。
【００４６】
通信制御部４４は、例えば、ネットワークＮを介して、外部機器（例えば、サーバ装置２や再生装置６）との間で各種情報の送受信を行う。
【００４７】
具体的には、通信制御部４４は、制御部４５から入力される制御信号に従って、例えば、設定情報送信手段として、設定情報取得プログラム４５３ｃを実行したＣＰＵ４５１（後述）により取得された設定情報を、再生装置６に対して送信する。
ここで、通信制御部４４は、例えば、ユーザによる操作部４３の操作によって、ユーザによる操作部４３の操作により選択されたコンテンツを当該コンテンツの設定情報に基づいて再生するよう指示された際に、設定情報取得プログラム４５３ｃを実行したＣＰＵ４５１（後述）により取得された設定情報を、再生装置６に対して送信するようになっている。
【００４８】
また、通信制御部４４は、制御部４５から入力される制御信号に従って、例えば、保存位置情報送信手段として、サーバ装置２の通信制御部２２により送信された保存位置情報のうちのユーザによる操作部４３の操作により選択されたコンテンツの保存位置情報を、再生装置６に対して送信する。
【００４９】
制御部４５は、例えば、図３に示すように、ＣＰＵ４５１と、ＲＡＭ４５２と、ＲＯＭ４５３と、などを備えている。
【００５０】
ＣＰＵ４５１は、例えば、ＲＯＭ４５３に記憶された制御装置４用の各種処理プログラムに従って各種の制御動作を行う。
【００５１】
ＲＡＭ４５２は、例えば、ＣＰＵ４５１によって実行される処理プログラムなどを展開するためのプログラム格納領域や、入力データや上記処理プログラムが実行される際に生じる処理結果などを格納するデータ格納領域などを備える。
【００５２】
ＲＯＭ４５３は、例えば、制御装置４で実行可能なシステムプログラム、当該システムプログラムで実行可能な各種処理プログラム、これら各種処理プログラムを実行する際に使用されるデータ、ＣＰＵ４５１によって演算処理された処理結果のデータ等を記憶する。なお、プログラムは、コンピュータが読み取り可能なプログラムコードの形でＲＯＭ４５３に記憶されている。
【００５３】
具体的には、ＲＯＭ４５３は、例えば、図３に示すように、コンテンツリスト配布要求送信制御プログラム４５３ａと、コンテンツリスト表示制御プログラム４５３ｂと、設定情報取得プログラム４５３ｃと、設定情報送信制御プログラム４５３ｄと、保存位置情報送信制御プログラム４５３ｅと、などを記憶している。
【００５４】
コンテンツリスト配布要求送信制御プログラム４５３ａは、例えば、ユーザによる操作部４３の操作によって、サーバ装置２の記憶部２１内に記憶されたコンテンツに関する情報を一覧にしたコンテンツリストを表示部４２に表示するよう指示されると、通信制御部４４に制御信号を入力して、当該コンテンツリストを配布するよう要求する配布要求を、サーバ装置２に対して送信させる機能を、ＣＰＵ４５１に実現させる。
【００５５】
コンテンツリスト表示制御プログラム４５３ｂは、例えば、サーバ装置２から配布されたコンテンツリストを、表示部４２に表示させる機能を、ＣＰＵ４５１に実現させる。
【００５６】
設定情報取得プログラム４５３ｃは、例えば、サーバ装置２の通信制御部２２により送信された記憶位置情報に基づいて、ユーザによる操作部４３の操作により選択されたコンテンツの設定情報をサーバ装置２から取得して、記憶部４１に記憶させる機能を、ＣＰＵ４５１に実現させる。
【００５７】
具体的には、ＣＰＵ４５１は、例えば、通信制御部４４に制御信号を入力して、ユーザによる操作部４３の操作により選択されたコンテンツの設定情報を送信するよう要求する送信要求を、サーバ装置２の通信制御部２２により送信された記憶位置情報のうちのユーザによる操作部４３の操作により選択されたコンテンツの設定情報の記憶位置情報とともに、サーバ装置２に対して送信させる。これにより、ユーザによる操作部４３の操作により選択されたコンテンツの設定情報がサーバ装置２の通信制御部２２により送信されることになるため、ＣＰＵ４５１は、ユーザによる操作部４３の操作により選択されたコンテンツの設定情報を取得することができる。
ＣＰＵ４５１は、かかる設定情報取得プログラム４５３ｃを実行することによって、設定情報取得手段として機能する。
【００５８】
設定情報送信制御プログラム４５３ｄは、例えば、通信制御部４４に制御信号を入力して、設定情報取得プログラム４５３ｃを実行したＣＰＵ４５１により取得された設定情報を、再生装置６に対して送信させる機能を、ＣＰＵ４５１に実現させる。
【００５９】
具体的には、ＣＰＵ４５１は、例えば、ユーザによる操作部４４の操作によって、ユーザによる操作部４３の操作により選択されたコンテンツを当該コンテンツの設定情報に基づいて再生するよう指示された際に、設定情報取得プログラム４５３ｃを実行したＣＰＵ４５１により取得されて記憶部４１に記憶された設定情報を、再生装置６に対して送信させる。
【００６０】
保存位置情報送信制御プログラム４５３ｅは、例えば、通信制御部４４に制御信号を入力して、サーバ装置２の通信制御部２２により送信された保存位置情報のうちのユーザによる操作部４３の操作により選択されたコンテンツの保存位置情報を、再生装置６に対して送信させる機能を、ＣＰＵ４５１に実現させる。
【００６１】
（再生装置）
再生装置６は、例えば、テレビジョン受像機等のいわゆるデジタルメディアレンダラーであり、例えば、図４に示すように、通信制御部６１と、再生部６２と、制御部６３と、などを備えて構成される。各部は、バス６０によって接続されている。
【００６２】
通信制御部６１は、例えば、ネットワークＮを介して、外部機器（例えば、サーバ装置２や制御装置４）との間で各種情報の送受信を行う。
【００６３】
具体的には、通信制御部６１は、制御部６３から入力される制御信号に従って、例えば、配信要求送信手段として、ユーザによる制御装置４の操作部４３の操作により選択されたコンテンツを配信するよう要求する配信要求を、制御装置４の通信制御部４４により送信された保存位置情報とともに、サーバ装置２に対して送信する。
【００６４】
再生部６２は、制御部６３から入力される制御信号に従って、例えば、再生手段として、サーバ装置２のコンテンツ配信プログラム２３３ｄを実行したＣＰＵ２３１により配信されたコンテンツを再生する。
ここで、再生部６２は、例えば、制御装置４の通信制御部４４により設定情報が送信された場合は、当該設定情報に基づいて、サーバ装置２のコンテンツ配信プログラム２３３ｄを実行したＣＰＵ２３１により配信されたコンテンツを再生するようになっている。
【００６５】
具体的には、再生部６２は、例えば、図３に示すように、信号処理部６２１と、映像表示部６２２ａや音声出力部６２２ｂを有する出力部６２２と、などを備えている。
【００６６】
信号処理部６２１は、制御部６３から入力される制御信号に従って、例えば、サーバ装置２から配信されて通信制御部６１により受信されたコンテンツに所定の処理を施して、当該コンテンツから映像データと音声データとなどを分離し、当該映像データをデコードして出力部６２２の映像表示部６２２ａに出力するとともに、当該音声データをデコードして出力部６２２の音声出力部６２２ｂに出力する。
【００６７】
出力部６２２の映像表示部６２２ａは、例えば、液晶表示機器等であり、制御部６３から入力される制御信号に従って、例えば、信号処理部６２１により出力された映像データに基づく映像を表示する。
【００６８】
出力部６２２の音声出力部６２２ｂは、例えば、スピーカ機器等であり、制御部６３から入力される制御信号に従って、例えば、信号処理部６２１により出力された音声データに基づく音声を出力する。
【００６９】
制御部６３は、例えば、図４に示すように、ＣＰＵ６３１と、ＲＡＭ６３２と、ＲＯＭ６３３と、などを備えている。
【００７０】
ＣＰＵ６３１は、例えば、ＲＯＭ６３３に記憶された再生装置６用の各種処理プログラムに従って各種の制御動作を行う。
【００７１】
ＲＡＭ６３２は、例えば、ＣＰＵ６３１によって実行される処理プログラムなどを展開するためのプログラム格納領域や、入力データや上記処理プログラムが実行される際に生じる処理結果などを格納するデータ格納領域などを備える。
【００７２】
ＲＯＭ６３３は、例えば、再生装置６で実行可能なシステムプログラム、当該システムプログラムで実行可能な各種処理プログラム、これら各種処理プログラムを実行する際に使用されるデータ、ＣＰＵ６３１によって演算処理された処理結果のデータ等を記憶する。なお、プログラムは、コンピュータが読み取り可能なプログラムコードの形でＲＯＭ６３３に記憶されている。
【００７３】
具体的には、ＲＯＭ６３３は、例えば、図４に示すように、配信要求送信制御プログラム６３３ａと、再生制御プログラム６３３ｂと、などを記憶している。
【００７４】
配信要求送信制御プログラム６３３ａは、例えば、通信制御部６１に制御信号を入力して、ユーザによる制御装置４の操作部４３の操作により選択されたコンテンツを配信するよう要求する配信要求を、制御装置４の通信制御部４４により送信された保存位置情報とともに、サーバ装置２に対して送信させる機能を、ＣＰＵ６３１に実現させる。
【００７５】
再生制御プログラム６３３ｂは、例えば、再生部６２に制御信号を入力して、サーバ装置２のコンテンツ配信プログラム２３３ｄを実行したＣＰＵ２３１により配信されたコンテンツを再生させる機能を、ＣＰＵ６３１に実現させる。
ここで、ＣＰＵ６３１は、例えば、制御装置４の通信制御部４４により設定情報が送信された場合は、当該設定情報に基づいて、サーバ装置２のコンテンツ配信プログラム２３３ｄを実行したＣＰＵ２３１により配信されたコンテンツを再生させ、制御装置４の通信制御部４４により設定情報が送信されていない場合は、予め設定された所定の調整パラメータに基づいて、サーバ装置２のコンテンツ配信プログラム２３３ｄを実行したＣＰＵ２３１により配信されたコンテンツを再生させる。
【００７６】
＜コンテンツ再生処理＞
コンテンツ再生システム１によるコンテンツの再生に関する処理について、図５のフローチャートを参照して説明する。
【００７７】
まず、ユーザによる操作部４３の操作によって、サーバ装置２の記憶部２１内に記憶されたコンテンツに関する情報を一覧にしたコンテンツリストを表示部４２に表示するよう指示されると、サーバ装置４のＣＰＵ４５１は、コンテンツリスト配布要求送信制御プログラム４５３ａを実行して、通信制御部４４に制御信号を入力して、当該コンテンツリストを配布するよう要求する配布要求を、サーバ装置２に対して送信させる（ステップＳ１）。
【００７８】
ステップＳ１で送信された配布要求を通信制御部２２が受信すると、サーバ装置２のＣＰＵ２３１は、コンテンツリスト配布プログラム２３３ａを実行して、ステップＳ１で送信された配布要求に従って、コンテンツリストを、通信制御部２２を介して制御装置４に対して配布するとともに、位置情報送信制御プログラム２３３ｂを実行して、記憶部２１内におけるコンテンツの保存位置に関する保存位置情報と記憶部２１内における設定情報の記憶位置に関する記憶位置情報を制御装置６に対して送信させる（ステップＳ２）。
ここで、コンテンツリスト中のコンテンツに関する情報と、当該コンテンツの保存位置に関する保存位置情報と、当該コンテンツの設定情報の記憶位置に関する記憶位置情報と、は互いに対応付けられて制御装置６に対して送信されることとする。
【００７９】
ステップＳ２で配布されたコンテンツリストやステップＳ２で送信された保存位置情報と記憶位置情報を通信制御部４４が受信すると、制御装置４のＣＰＵ４５１は、コンテンツリスト表示制御プログラム４５３ｂを実行して、ステップＳ２で配布されたコンテンツリストを表示部４２に表示させる（ステップＳ３）。
【００８０】
ステップＳ３で表示されたコンテンツリストの中から、ユーザによる操作部４３の操作によって一のコンテンツが選択されると（ステップＳ４）、ＣＰＵ４５１は、設定情報取得プログラム４５３ｃを実行して、通信制御部４４に制御信号を入力して、ステップＳ４で選択されたコンテンツの設定情報を送信するよう要求する送信要求を、ステップＳ２で送信された記憶位置情報のうちのステップＳ４で選択されたコンテンツの設定情報の記憶位置情報とともに、サーバ装置２に対して送信させる（ステップＳ５）。
【００８１】
ステップＳ５で送信された送信要求を通信制御部２２が受信すると、サーバ装置２のＣＰＵ２３１は、送信要求応答プログラム２３３ｃを実行して、ステップＳ５で送信された送信要求に従って、当該送信要求とともに送信された記憶位置情報に基づいて記憶部２１から設定情報を抽出し、そして、通信制御部４４に制御信号を入力して、当該抽出された設定情報を、制御装置４に対して送信させる（ステップＳ６）。
【００８２】
ステップＳ６で送信された設定情報を通信制御部４４が受信すると、制御装置４のＣＰＵ４５１は、ステップＳ６で送信された設定情報を記憶部４１に記憶させる（ステップＳ７）。
【００８３】
次いで、ＣＰＵ４５１は、保存位置情報送信制御プログラム４５３ｅを実行して、通信制御部４４に制御信号を入力して、ステップＳ２で送信された保存位置情報のうちのステップＳ４で選択されたコンテンツの保存位置情報を、再生装置６に対して送信させる（ステップＳ８）。
【００８４】
次いで、ＣＰＵ４５１は、ユーザによる操作部４３の操作によって、ステップＳ４で選択されたコンテンツを当該コンテンツの設定情報に基づいて再生するよう指示されたか否かを判断する（ステップＳ９）。
【００８５】
ステップＳ９で、ユーザによる操作部４３の操作によって、ステップＳ４で選択されたコンテンツを当該コンテンツの設定情報に基づいて再生するよう指示されていないと判断すると（ステップＳ９；Ｎｏ）、ＣＰＵ４５１は、本処理を終了する。
【００８６】
一方、ステップＳ９で、ユーザによる操作部４３の操作によって、ステップＳ４で選択されたコンテンツを当該コンテンツの設定情報に基づいて再生するよう指示されたと判断すると（ステップＳ９；Ｙｅｓ）、ＣＰＵ４５１は、設定情報送信制御プログラム４５３ｄを実行して、通信制御部４４に制御信号を入力して、ステップＳ７で記憶部４１に記憶された設定情報を、再生装置６に対して送信させて（ステップＳ１０）、本処理を終了する。
【００８７】
ステップＳ８で送信された保存位置情報を通信制御部６１が受信すると、再生装置６のＣＰＵ６３１は、配信要求送信制御プログラム６３３ａを実行して、ステップＳ４で選択されたコンテンツを配信するよう要求する配信要求を、ステップＳ８で送信された保存位置情報とともに、サーバ装置２に対して送信させる（ステップＳ１１）。
【００８８】
ステップＳ１１で送信された配信要求を通信制御部２２が受信すると、サーバ装置２のＣＰＵ２３１は、コンテンツ配信プログラム２３３ｄを実行して、ステップＳ１１で送信された配信要求に従って、当該配信要求とともに送信された保存位置情報に基づいて記憶部２１からコンテンツを取得し、そして、通信制御部４４を介して、当該取得されたコンテンツを再生装置６に配信して（ステップＳ１２）、本処理を終了する。
【００８９】
ステップＳ１２で配信されたコンテンツを通信制御部６１が受信すると、再生装置６のＣＰＵ６３１は、再生制御プログラム６３３ｂを実行して、再生部６２に制御信号を入力して、サーバ装置２から配信されているコンテンツを再生させて（ステップＳ１３）、本処理を終了する。
このとき、ＣＰＵ６３１は、ステップＳ９で、ユーザによる操作部４３の操作によって、ステップＳ４で選択されたコンテンツを当該コンテンツの設定情報に基づいて再生するよう指示されたと判断されて、ステップＳ１０で、設定情報が送信された場合には、当該設定情報に基づいて、サーバ装置２から配信されているコンテンツを再生させ、ステップＳ９で、ユーザによる操作部４３の操作によって、ステップＳ４で選択されたコンテンツを当該コンテンツの設定情報に基づいて再生するよう指示されていないと判断された場合には、予め設定された所定の調整パラメータに基づいて、サーバ装置２から配信されているコンテンツを再生させる。
【００９０】
以上説明した本発明におけるコンテンツ再生システム１によれば、コンテンツを配信するサーバ装置２と、サーバ装置２により配信されたコンテンツを再生する再生部６２を有する再生装置６と、サーバ装置２と再生装置６とを制御する制御装置４と、を備え、サーバ装置２は、記憶部２１によって、サーバ装置２により配信可能なコンテンツ毎に、すなわち、記憶部２１内に記憶されたコンテンツ毎に、当該コンテンツの再生に係る所定の調整パラメータの設定に関する設定情報を記憶することができ、通信制御部２２によって、記憶部２１内におけるコンテンツの保存位置に関する保存位置情報と、記憶部２１内における設定情報の記憶位置に関する記憶位置情報と、を制御装置４に対して送信することができ、制御装置４は、ユーザによる操作部４３の操作によって、サーバ装置２により配信可能なコンテンツの中から一のコンテンツを選択することができ、設定情報取得プログラム４５３ｃを実行したＣＰＵ４５１によって、通信制御部２２により送信された記憶位置情報に基づいて、ユーザによる操作部４３の操作により選択されたコンテンツの設定情報をサーバ装置２から取得することができ、通信制御部４４によって、設定情報取得プログラム４５３ｃを実行したＣＰＵ４５１により取得された設定情報を、再生装置６に対して送信することができ、通信制御部４４によって、通信制御部２２により送信された保存位置情報のうちのユーザによる操作部４３の操作により選択されたコンテンツの保存位置情報を、再生装置６に対して送信することができ、再生装置６は、通信制御部６１によって、ユーザによる操作部４３の操作により選択されたコンテンツを配信するよう要求する配信要求を、通信制御部４４により送信された保存位置情報とともに、サーバ装置２に対して送信することができ、サーバ装置２は、コンテンツ配信プログラム２３３ｄを実行したＣＰＵ２３１によって、通信制御部６１により送信された配信要求に従って、当該配信要求とともに送信された保存位置情報に基づいてコンテンツを取得して再生装置６に配信することができ、そして、再生部６２は、通信制御部４４により送信された設定情報に基づいて、コンテンツ配信プログラム２３３ｄを実行したＣＰＵ２３１により配信されたコンテンツを再生することができる。
すなわち、サーバ装置２の記憶部２１に、例えば、コンテンツを提供するコンテンツ提供者が最適であると提案する所定の調整パラメータの設定に関する設定情報が記憶されている場合には、当該最適な設定でコンテンツを再生することができる。
したがって、ユーザは、煩わしい設定操作をすることなく、最適な設定でコンテンツを楽しむことができる。
【００９１】
また、制御装置４は、ユーザが、ユーザによる操作部４３の操作により選択されたコンテンツを当該コンテンツの設定情報に基づいて再生するよう指示する際に操作される操作部４３を備え、通信制御部４４は、ユーザによる操作部４３の操作によってユーザによる操作部４３の操作により選択されたコンテンツを当該コンテンツの設定情報に基づいて再生するよう指示された際に、設定情報取得プログラム４５３ｃを実行したＣＰＵ４５１により取得された設定情報を再生装置６に対して送信し、再生部６３は、通信制御部４４により設定情報が送信された場合に、当該設定情報に基づいて、コンテンツ配信プログラム２３３ｄを実行したＣＰＵ２３１により配信されたコンテンツを再生するようになっている。
したがって、ユーザが所望した場合のみ、サーバ装置２の記憶部２１に記憶された設定情報に基づいてコンテンツを再生することができるため、ユーザビリティが高い。
【００９２】
また、コンテンツは、映像データを含み、所定の調整パラメータには、輝度、赤み、明るさ、シャープネスのうち少なくとも１つが含まれる。
したがって、サーバ装置２の記憶部２１には、設定が特に煩わしい映像データの再生に係る所定の調整パラメータの設定に関する設定情報が記憶されているため、ユーザにとって好都合である。
【００９３】
なお、本発明は、上記した実施の形態のものに限るものではなく、その要旨を逸脱しない範囲で適宜変更可能である。
【００９４】
制御装置４と再生装置６とは別体でなくてもよく、一体的に構成していわゆるデジタルメディアプレーヤとしてもよい。
【００９５】
コンテンツ再生システム１は、サーバ装置２と制御装置４と再生装置６とを互いにＬＡＮで接続したホームネットワークシステムでなくてもよく、例えば、サーバ装置２と制御装置４と再生装置４とを互いにインターネットで接続したシステムであってもよいし、例えば、サーバ装置２と制御装置４をインターネットで接続し、サーバ装置２と再生装置６をインターネットで接続し、制御装置４と再生装置６とをＬＡＮで接続したシステムであってもよい。
【００９６】
コンテンツ再生システム１によるコンテンツの再生に関する処理（図５）において、コンテンツが配信される前に、ユーザが設定情報に基づいてコンテンツを再生するよう指示し、そして、当該指示に従って、制御装置４が設定情報を再生装置６に送信するようにしたが、ユーザが、設定情報に基づいてコンテンツを再生するよう指示するタイミングは任意であり、例えば、コンテンツの再生中に、ユーザは当該指示を行ってもよい。
しかしながら、設定情報が制御装置４の記憶部４１に記憶された後でなければ、制御装置４は、当該指示に従って、設定情報を再生装置６に送信することはできないようになっている。
【００９７】
ユーザが、コンテンツを設定情報に基づいて再生するよう指示した場合に、当該指示に従うようにしたが、ユーザからの指示に依拠することなく、自動的に、コンテンツを設定情報に基づいて再生するようにしてもよい。
また、設定情報は、制御装置４を介さずに、サーバ装置２から再生装置６に直接送信してもよい。すなわち、例えば、制御装置４からサーバ装置２に記憶位置情報を送信せずに、制御装置４から再生装置６に、保存位置情報とともに記憶位置情報を送信し、そして、再生装置６からサーバ装置２に、当該保存位置情報と当該記憶位置情報を送信して、サーバ装置２から再生装置６に、コンテンツの配信とともに設定情報を送信するようにしてもよい。
【図面の簡単な説明】
【００９８】
【図１】本発明に係るコンテンツ再生システムの構成を示す図である。
【図２】図１のサーバ装置の機能的構成を示すブロック図である。
【図３】図１の制御装置の機能的構成を示すブロック図である。
【図４】図１の再生装置の機能的構成を示すブロック図である。
【図５】本発明に係るコンテンツ再生システムによるコンテンツの再生に関する処理について説明するためのフローチャートである。
【符号の説明】
【００９９】
１  コンテンツ再生システム
２  サーバ装置
２１  記憶部（記憶手段）
２２  通信制御部（位置情報送信手段）
２３１  ＣＰＵ（コンテンツ配信手段）
２３３ｄ  コンテンツ配信プログラム（コンテンツ配信手段）
４  制御装置
４３  操作部（選択手段、指示手段）
４４  通信制御部（設定情報送信手段、保存位置情報送信手段）
４５１  ＣＰＵ（設定情報取得手段）
４５３ｃ  設定情報取得プログラム（設定情報取得手段）
６  再生装置
６１  通信制御部（配信要求送信手段）
６２  再生部（再生手段）
【図１】
2008141501.tif 000003
【図２】
2008141501.tif 000004
【図３】
2008141501.tif 000005
【図４】
2008141501.tif 000006
【図５】
2008141501.tif 000007